(57)【要約】【課題】精度及び信頼性を向上可能なスイッチング電源回路を提供する。【解決手段】入力回路１、変圧器Ｔ及び出力回路２を備える。入力回路１は、入力側が入力電源に接続し入力電圧Ｖｉｎを入力し、出力側が変圧器Ｔに接続し、スイッチ部品１１を有する。変圧器Ｔは一次側コイルと二次側コイルを有し、一次側コイルはスイッチ部品１１に接続し、その電圧変化はスイッチ部品のオン、オフ状態を変えることが出来る。出力回路２は変圧器Ｔの二次側コイルに接続し、入力回路１に入力されたパワーを変圧器Ｔによって出力回路２に移転して出力端に出力端電圧Ｖｏｕｔを生じさせる。出力回路２に設けられたコントロール器２１は、検出した出力電圧の変化に対応して動作し、変圧器の一次側コイルに影響を与える。これにより一次側コイルはスイッチ部品１１をコントロールし出力電圧をコントロールすることができる。【選択図】図１
2008306921.tif 000002
【特許請求の範囲】
【請求項１】
少なくとも一つのスイッチ部品を有する一つの入力回路と、
一次側コイルと二次側コイルとを有し、前記一次側コイルは前記スイッチ部品に接続し、前記一次側コイルの電圧変化が前記スイッチ部品のオン、オフ状態を調整可能である一つの変圧器と、
出力端を有し、前記変圧器の前記二次側コイルに接続して前記入力回路に入力されたパワーを前記変圧器を介して伝達することによって前記出力端に出力電圧を生じさせ、出力電圧を検出可能なコントロール器を有し、前記コントロール器は検出した出力電圧の変化に対応するように動作して前記変圧器の前記一次側コイルに影響を与える一つの出力回路と、
を備え、
前記変圧器の前記一次側コイルが動作に対応して前記スイッチ部品をコントロールし、ＰＷＭまたはＰＦＭのいずれかの方式で前記スイッチ部品を動作させることによって、出力電圧をコントロールすることを特徴とするスイッチング電源回路。
【請求項２】
前記入力回路、前記変圧器および前記出力回路を組合せて自励型のフライバック方式のスッチング電源回路になり、前記コントロール器の動作状態の変化は一種類以上であることを特徴とする請求項1に記載のスイッチング電源回路。
【請求項３】
前記入力回路の前記スイッチ部品は、第一トランジスターであることを特徴とする請求項２に記載のスイッチング電源回路。
【請求項４】
前記変圧器の一次側は同じ極性の第一コイル、第二コイルを有し、前記変圧器の二次側は前記第一コイルおよび前記第二コイルとは逆の極性を持つ第三コイルを有し、
前記入力回路はスタート回路を有し、その入力端は入力電源、前記スタート回路の入力側および前記変圧器の一次側の前記第一コイルの一端に接続し、
前記スタート回路の出力側は前記第一トランジスターのベース極に接続し、前記第一トランジスターのコレクタ極は前記第一コイルの他の一端に接続し、前記変圧器の一次側の前記第二コイルの一端は抵抗および前記第一トランジスターのベース極に接続し、前記第二コイルのもう一端はアースに接続し、前記第一トランジスターのエミッタ極は抵抗を介してアースに接続することを特徴とする請求項３に記載のスイッチング電源回路。
【請求項５】
前記第一トランジスターは電流を制限する保護回路に接続することを特徴とする請求項４に記載のスイッチング電源回路。
【請求項６】
前記電流を制限する保護回路は、第二トランジスターを有し、前記第二トランジスターのベース極は前記第一トランジスターのエミッタ極に接続し、前記第二トランジスターのコレクタ極は前記第一トランジスターのベース極に接続し、前記第二トランジスターのエミッタ極はアースに接続することを特徴とする請求項５に記載のスイッチング電源回路。
【請求項７】
前記出力回路は整流ダイオードを有し、前記出力端をコンデンサーを介してアースに接続し、前記出力回路のコントロール入力端は前記出力端に接続される電源に接続し、前記コントロール器の第一コントロール端および第二コントロール端は前記整流ダイオードの両端に接続することを特徴とする請求項６に記載のスイッチング電源回路。
【請求項８】
前記整流ダイオードは前記出力端の位置に設置されることを特徴とする請求項７に記載のスイッチング電源回路。
【請求項９】
前記整流ダイオードはアース端の位置に設置されることを特徴とする請求項７に記載のスイッチング電源回路。
【請求項１０】
前記コントロール器は、前記第一コントロール端と前記第二コントロール端との間の接続状態について、負荷状態、ショート回路、開回路を含む三種類の異なった状態を決定することを特徴とする請求項７に記載のスイッチング電源回路。
【請求項１１】
前記出力端の電圧が設定電圧を越えた場合、前記コントロール器は第一コントロール端および第二コントロール端の間に抵抗性負荷および開回路動作の接続を命令することを特徴とする請求項１０に記載のスイッチング電源回路。
【請求項１２】
前記出力端の電圧が不足する場合、前記コントロール器は第一コントロール端および第二コントロール端の間にショートおよび開回路動作をするように命令することを特徴とする請求項１０に記載のスイッチング電源回路。
【請求項１３】
同じ極性を持つ第一コイルおよび第二コイルを一次側に有し、前記第一コイルおよび第二のコイルとは逆の極性を持つ第三コイルを二次側に有する一つの変圧器と、
一つの入力回路であって、スタート回路と、前記スタート回路の入力側、入力電源、および前記変圧器の一次側の第一コイルの一端に接続する入力端と、ベース極が前記スタート回路の出力側に接続してコレクタ極が前記第一コイルの他の一端に接続してエミッタ極が抵抗を介してアースに接続するスイッチ部品としての第一トランジスターと、ベース極が前記第一トランジスターのエミッタ極に接続してコレクタ極が前記第一トランジスターのベース極に接続してエミッタ極はアースに接続する第二トランジスターと、一端が抵抗および前記第一トランジスターのベース極に接続して他の一端はアースに接続する前記変圧器の一次側の第二コイルと、を有する一つの入力回路と、
一つの出力回路であって、整流ダイオードと、コンデンサーを介してアースに接続する出力端と、コントロール入力端が前記出力端を介して電源に接続して、第一コントロール端および第二コントロール端が前記整流ダイオードの両端に接続して、出力電圧を検出可能なコントロール器と、を有し、検出した出力電圧の変化に対して動作を行い、前記変圧器の一次側コイルに影響を与える一つの出力回路と、
を備え、
前記変圧器の前記一次側コイルは動作に対応して前記スイッチ部品をコントロールし、ＰＷＭ或はＰＦＭのいずれか一つの方式でスイッチ動作をさせ、出力電圧をコントロールすることを特徴とするスイッチング電源回路。
【請求項１４】
前記整流ダイオードは、前記出力端の位置に設置されることを特徴とする請求項１３に記載のスイッチング電源回路。
【請求項１５】
前記整流ダイオードは、アース端の位置に設置されることを特徴とする請求項１３に記載のスイッチング電源回路。
【請求項１６】
前記コントロール器は、前記第一コントロール端および前記第二コントロール端の間の接続状態について、負荷状態、ショート回路、および開回路を含む三種類の異なった状態を決定することを特徴とする請求項１３に記載のスイッチング電源回路。
【請求項１７】
前記出力端での出力電圧の値が設定電圧の値を越えた場合、前記コントロール器は前記第一コントロール端および前記第二コントロール端の間に抵抗性負荷および開回路動作の接続を命令することを特徴とする請求項１６に記載のスイッチング電源回路。
【請求項１８】
出力端での出力電圧が不足する場合、前記コントロール器は前記第一コントロール端および前記第二コントロール端の間にショートおよび開回路動作をするように命令することを特徴とする請求項１６に記載のスイッチング電源回路。
【発明の詳細な説明】
【技術分野】
【０００１】
本発明はスイッチング電源回路に関し、特に変圧器の二次側のコントロール器のコントロールによって、変圧器の一次側のスイッチ部品をオン、オフ動作させるスイッチング電源回路である。
【背景技術】
【０００２】
スイッチング電源回路は効率がよく、体積が小さいといった特長を持ち、現在では各式の電子装置に幅広く応用されている。図１１は、従来のスイッチング電源回路の回路構成を示す図である。その回路は主に入力回路１’、変圧器Ｔ１’、出力回路２’およびフォト・カプラ３’を備える。入力回路１’は入力電源に接続し入力電圧Ｖｉｎを入力し、主にスイッチ作用を持つトランジスターＱ１’およびコントロール器１１’を有する。トランジスターＱ１’は変圧器Ｔ１’の１次側コイルに接続する。コントロール器１１’はＰＷＭ（Ｐｕｌｓｅ−Ｗｉｄｔｈ  Ｍｏｄｕｌａｔｉｏｎ）コントロールができる。
【０００３】
出力端はトランジスターＱ１’に接続し、入力端ＦＢはフォト・カプラ３’の一方に接続する。また、出力回路２’は変圧器Ｔ１’の二次側コイルに接続する。出力端電圧Ｖｏｕｔを出力する出力端は、フォト・カプラ３’の他方に並んで接続している。よってフォト・カプラ３’は入力回路１’と出力回路２’とを隔離することになり、そして出力端電圧Ｖｏｕｔを入力回路１’のコントロール器１１’に戻す。そのためコントロール器１１’は出力に対応でき、トランジスターＱ１’のオン、オフ動作をコントロールして出力電圧を安定させる。
【０００４】
前述した回路の出力電圧の安定性は、必ずフォト・カプラ３’によって戻りコントロールする。そのため、フォト・カプラ３’の特性は、直接システムの安定性および信頼性に影響する。例えばフォト・カプラ３’のカップリング効率は直接出力端電圧Ｖｏｕｔの精確性に影響する。また、フォト・カプラ３’を、電流を安定させる充電器(図面の中には表示されていない)として利用する場合、部品を別途に増加する必要があり、フォト・カプラの不安定現象を招く。また回路コストが増加し、より多くの部品は待機状態での消耗が大きくなる欠点が発生する。
【０００５】
図１２に示すもう一つの従来のスイッチング電源回路では、主に入力回路５’、変圧器Ｔ２’および出力回路６’を備える。入力回路５’は入力電源に接続し入力電圧Ｖｉｎを入力し、スイッチ動作尾をするトランジスターＱ２’およびコントロール器５１’を有する。トランジスターＱ２’は変圧器Ｔ２’および一次側第一コイルＮ１’に接続する。またコントロール器５１’の出力端はトランジスターＱ２’に接続し、入力端は変圧器Ｔ２’の一次側第二コイルＮ２’に接続する。コントロール器５１’はＰＷＭコントロール器である。また出力回路６’は変圧器Ｔ２’の二次側の第三コイルＮ３’に接続し、出力端電圧Ｖｏｕｔを出力する出力端を有する。よってコントロール器５１’のセンサーは、変圧器Ｔ２’の二次側から変圧器Ｔ２’の一次側コイルの電圧変化を検出し、そしてトランジスターＱ２’をコントロールしてオン、オフ動作に対応し、出力端電圧Ｖｏｕｔをコントロールする。
【０００６】
前述した回路は構成が簡単であるが、コントロール器５１’は直接出力端の電圧を検出できないため、直接、変圧器Ｔ２’の特性で検出しコントロールを決める。しかし、戻した電圧が不連続であるため、回路システムの安定性および信頼性が悪くなり、無負荷の出力電圧の安定性が悪く、動作状態の効率が良くないという欠点が発生する。
【発明の開示】
【発明が解決しようとする課題】
【０００７】
本発明の目的は、変圧器二次側にあるコントロール器によって変圧器一次側のスイッチ部品の動作をコントロールし、精度および信頼性の向上が可能なスイッチング電源回路を提供することである。
【課題を解決するための手段】
【０００８】
上記目的を達成するため、本発明に係るスイッチング電源回路は、一つの入力回路、一つの変圧器および一つの出力回路を備える。
入力回路の入力側は入力電源に接続し、出力側は変圧器に接続し、少なくとも一つのスイッチ部品を有する。
変圧器は一次側コイルと二次側コイルとを有し、一次側コイルはスイッチ部品に接続し、一次側コイルの電圧変化はスイッチ部品のオン、オフ状態を変えることが出来る。
【０００９】
出力回路は、変圧器の二次側コイルに接続し、出力端を有し、入力回路に入力されたパワーを変圧器によって出力回路に移転して出力端に出力端電圧を生じさせる。
また、出力回路はコントロール器を有し、コントロール器は出力電圧の変化を検出することが出来る。検出した出力電圧の変化に対応して動作を執行し、変圧器の一次側コイルに影響を与える。よって変圧器の一次側コイルは動作に対応してスイッチ部品をコントロールし、ＰＷＭ或はＰＦＭのスイチ動作をさせ、出力電圧をコントロールする。
【００１０】
さらに、本発明に係る回路は自励型のフライバック方式のスッチング電源回路であってもよい。その中の変圧器の一次側は同じ極性の第一コイル、および第二コイルを有する。また、二次側は前述した第一コイル、および第二コイルとは逆の極性を持つ第三コイルを有する。入力回路はスタート回路を有し、入力端は入力電源に接続し、スタート回路の入力側は変圧器一次側の第一コイルの一端に接続する。また、スタート回路の出力側は第一トランジスターのベース（Ｂ）極に接続し、第一トランジスターのコレクタ（Ｃ）極は前述した第一コイルの他の一端に接続する。
【００１１】
また、変圧器の一次側の第二コイルの一端は抵抗および第一トランジスターＢ極に接続し、第二コイルのもう一端はアースである。また第一トランジスターのエミッタ（Ｅ）極は抵抗アースに接続する。また第一トランジスターは電流制限回路に接続し、そして電流を制限する保護回路は第二トランジスターを有し、そして第二トランジスターのＢ極は第一トランジスターのＥ極に接続し、Ｃ極は第一トランジスターのＢ極に接続して、Ｅ極はアースに接続する。
【００１２】
その中の出力回路は整流ダイオードを有し、プラス極は変圧器第三コイルに接続する。第三コイルのもう片方はアースに接続する。またダイオードのマイナス極は出力端に接続し、出力端はコンデンサーを介してアースに接続する。また出力回路のコントロール入力端は出力端に接続される電源に接続し、そしてコントロール器の入力端は出力端から繋がった分圧抵抗接点に接続し、誤差増幅器を持ち、電圧を参照して出力端の電圧変化と比較する。
【００１３】
またコントロール器は第一コントロール端および第二コントロール端を二股かけダイオードの両端に接続する。第一コントロール端および第二コントロール端の間はコントロール器で接続する負荷、ショート、オープン回路等の三種類の状態変化を決定する。よって本発明は二次側のコントロール器によって一次側のスイッチ部品の動作をコントロールし、より良い精密度および信頼性を持つようになる。また、フォト・カプラ部品が無いためコストの低減および回路の安定性、寿命を保つことになり、同時に同期整流の効果を増加することが出来る。
【発明を実施するための最良の形態】
【００１４】
（第１実施形態）
図１に示すように、本発明の第１実施形態によるスイッチング電源回路は、一つの入力回路１、一つの変圧器Ｔ、および一つの出力回路２を備える。
入力回路１の入力端は入力電源に接続し入力電圧Ｖｉｎを入力し、出力側は変圧器Ｔに接続し、少なくとも一つのスイッチ部品１１を有する。スイッチ部品１１はトランジスター、ＭＯＳＦＥＴ、或はその他のスイッチ作用のある個別或は組み込み部品である。
変圧器Ｔは一次側コイルと二次側コイルとを有する。変圧器Ｔの一次側コイルはスイッチ部品１１に接続し、その電圧変化はスイッチ部品１１のオン、オフ状態を変えることが出来る。変圧器Ｔの二次側コイルは、出力回路２に接続している。
【００１５】
図２に示すように、入力回路１からの入力エネルギーは、変圧器Ｔによって出力回路２の出力端へ伝達され、出力端電圧Ｖｏｕｔを生じさせる。また、出力回路２はコントロール器２１を有し、コントロール器２１は出力電圧Ｖｏｕｔとあらかじめ設定された電圧の差を検出することが出来、そして検出した出力電圧の変化に対して動作を執行し、変圧器Ｔの一次側コイルに影響を与える。よって変圧器の一次側コイルは電圧変化の動作に対応してスイッチ部品１１をコントロールし、ＰＷＭ或はＰＦＭのスイチ動作をさせ、出力電圧を安定させる。
【００１６】
図２に示すように、本発明の第１実施形態による回路は、自励型フライバック方式のスッチング電源回路の構成である。その中の変圧器Ｔの一次側は同じ極性の第一コイルＮ１および第二コイルＮ２を有し、また、二次側は第一コイルＮ１および第二のコイルＮ２とは逆の極性を持つ第三コイルＮ３を有する。そして、入力回路１はスタート回路１２を有し、その入力端は入力電圧Ｖｉｎを入力する入力電源に接続する。また、スタート回路１２の入力端は、変圧器Ｔの一次側の第一コイルＮ１の一端に接続する。スタート回路１２の出力端は第一トランジスターＱ１のベース（Ｂ）極に接続し、第一トランジスターＱ１のコレクタ（Ｃ）極は第一コイルＮ１の他の一端に接続する。
【００１７】
変圧器Ｔの一次側の第二コイルＮ２の一端は抵抗および第一トランジスターＱ１のＢ極に接続し、第二コイルＮ２のもう一端はアースに接続する。第一トランジスターＱ１のエミッタ（Ｅ）極は抵抗ＲＳを介しアースに接続する。
また第一トランジスターＱ１は電流を制限する保護回路に接続する。電流を制限する保護回路は第二トランジスターＱ２を有し、第二トランジスターＱ２のＢ極は第一トランジスターＱ１のＥ極に接続し、Ｃ極は第一トランジスターＱ１のＢ極に接続し、Ｅ極はアースに接続する。
【００１８】
出力回路２は整流ダイオードＤ１を有する。整流ダイオードＤ１のアノード（プラス極）は変圧器Ｔの第三コイルＮ３に接続する。第三コイルＮ３のもう片方はアースに接続する。ダイオードＤ１のカソード（マイナス極）は出力端に接続し、その出力端の先はアースに接続されたコンデンサーＣ１と並列に接続される。出力回路２のコントロール器２１の入力端は電源ＶＤＤに接続し、出力端はアースＧＮＤ接点に接続する。コントロール器２１のＶＤＤ接点は、出力端電圧Ｖｏｕｔを出力する出力端に接続する。さらに、コントロール器２１の入力フィードバック端ＦＢは出力端から繋がった分圧抵抗の接点に接続し、あらかじめ設定された電圧に対する誤差を検出する増幅器(図面では表示されていない)を有し、出力端の電圧変化と比較する。
【００１９】
コントロール器２１は電源ＶＤＤ、およびアースＧＮＤ接点を有する。第一コントロール端ＣＴＬ１および第二コントロール端ＣＴＬ２は、ダイオードＤ１の両端に接続する。第一コントロール端ＣＴＬ１および第二コントロール端ＣＴＬ２の間はコントロール器２１で接続する負荷、ショート、オープン回路等の三種類の状態変化を決定する。
【００２０】
図３および図４に示すように、本発明の第１実施形態が動作するとき、入力電圧Ｖｉｎは入力回路１の入力端に入力される。スタート回路１２は、パルスａを第一トランジスターＱ１に出力し、第一トランジスターＱ１をターンオンし、コレクタ電流Ｉｃが流れる。そのとき、入力電流は、変圧器Ｔの第一コイルＮ１、第一トランジスタＱ１、および抵抗ＲＳを通過しアースに流れる。また電流の一部は変圧器Ｔの第二コイルＮ２、第一トランジスターＱ１、抵抗ＲＳを通過してアースに流れる。このとき、第一コイルＮ１および第二コイルＮ２の上方にある極性はプラスであり、第三コイルＮ３の上方の極性はマイナスである。
【００２１】
また、第一トランジスターＱ１が抵抗ＲＳに繋がり電圧を上昇させ、第二トランジスターＱ２をターンオンした場合、第一トランジスターＱ１がターンオフする。同時に、変圧器Ｔの一次側パワーは二次側に転移され、よって二次側の第三コイルＮ３の極性が逆転する。
そして、電流を整流ダイオードＤ１に通過させ出力端電圧Ｖｏｕｔと電流Ｉｄとを生じさせる。また第三コイルＮ３のエネルギーが完全に解放されるときに、変圧器Ｔの極性が変わり、変圧器Ｔの第二コイルＮ２の寄生インダクタンスに貯められたエネルギーは、第一トランジスターＱ１を再び導通させる。
【００２２】
そのため、本実施形態は自動的にソフトスタートおよび発振により自己励磁させることができ、非継続的に動作する。スタート回路１２は、初めにスタートした後は、それ以上エネルギーを消耗することなくアイドル状態となる。システムが予定する時間以上アイドルしている場合或はリセット条件が成立する場合であれば、再びスタートパルスを送り出すことになる。
【００２３】
本実施形態のコントロール器２１は出力端電圧Ｖｏｕｔの変化を検出し、動作する。図３、図５、図７および図８に示すように、本実施形態は、出力端電圧Ｖｏｕｔが設定電圧を越えた場合、コントロール器２１は第一コントロール端ＣＴＬ１および第二コントロール端ＣＴＬ２をコントロールして、変圧器Ｔのエネルギーが完全に出力端に移転した瞬間から第一トランジスターＱ１が再びスタートするまでの間に、抵抗性負荷を接続することができる。よって電流Ｉｄがゼロである場合、その抵抗性の負荷は変圧器Ｔの漏れインダクタンスにより残されたエネルギーを消耗する。図５の矢印によって示される方向に流れる電流は、第一トランジスターＱ１が再び導通することを阻止し、その後図７に示すような開回路状態に戻し、回路がストップモードになり、出力端電圧Ｖｏｕｔが持続的に高くなることを防止し、出力端電圧を安定させる。
【００２４】
図６および図８に示すように、本実施形態において、出力端電圧Ｖｏｕｔが不足する場合、コントロール器２１は第一コントロール端ＣＴＬ１および第二コントロール端ＣＴＬ２の間のショートを短時間コントロールすることができる。その間、出力回路２のコンデンサーＣ１のエネルギーを第三コイルＮ３に貯め、電流Ｉｄが下がることに対応する。その後、図７、図８で示すように、再びコントロール器２１に第一コントロール端ＣＴＬ１および第二コントロール端ＣＴＬ２の開回路をコントロールさせ、そのエネルギーはＶｓｗ電圧を低くさせ、そして第二コイルＮ２のエネルギーが第一トランジスターＱ１を再スタートさせ導通する。
【００２５】
ここから回路が再び自励型変換の動作に入り、そして、入力回路１のエネルギーが素早く出力回路２に移転され、出力端電圧Ｖｏｕｔが上昇し、設定した電圧に達することになる。つまり、本実施形態は、変圧器Ｔの二次側のコントロール器２１によって、変圧器Ｔの一次側の第一トランジスターＱ１がＰＷＭ或はＰＦＭ動作を行い、出力端電圧Ｖｏｕｔの安定を維持する。本実施形態のコントロール器２１は出力端電圧Ｖｏｕｔを直接検出することができるため、精度が高くなるといった効果を有し、同期整流の効果も有する。さらに、本実施形態はフォト．カプラ部品が必要ないため、より良い寿命および信頼性を有している。
【００２６】
図３および図９に示すように、本実施形態は、変圧器Ｔの二次側の出力回路２(例えばダイオードＤ１)がショート或は過負荷となる場合、変圧器Ｔの一次側の第一コイルＮ１の電流Ｉｃが急速に増加し、入力回路１の抵抗ＲＳでの電圧Ｖｓｅｎｓｅは第二トランジスターＱ２を導通させ、第一トランジスターＱ１を導通させず、回路システムの動作を停止させる。その後、状況の排除を待ち、再びスタート回路１２によって回路システムを動作させる。つまり、第二トランジスターＱ２は、電流制限によってシステムを保護するように作用する。
【００２７】
また出力回路２がショートする場合、コントロール器２１は第一コントロール端ＣＴＬ１および第二コントロール端ＣＴＬ２を長時間停止させ、スタート回路１２がリセットされショートが解除するまで待つことができる。
本実施形態は、スタート回路１２を有しているが、スタート回路１２のコストは低く、消耗する功率も低い。よって本発明は低いコストおよび高い効率という効果を有していることになる。
【００２８】
（第２実施形態）
図１０に示すのは、本発明の第２実施形態によるスイッチング電源回路であり、第１実施形態とほぼ同様である。その差異は、出力回路２の整流ダイオードＤ１が、本実施形態では第三コイルの下にある接点およびアース端の位置に設けられていることである。
その極性方向は第１実施形態と正反対になっており、その回路も第１実施形態と同じ自励型変換の効果を持つことができる。さらにコントロール器２１の第一コントロール端ＣＴＬ１および第二コントロール端ＣＴＬ２をコントロールする値は、合わせて変更することができる。よって、同じようなコントロール効果を有することになる。そして、この回路は同期整流の機能をコントロール器に加えて効率を向上させることになる。
【００２９】
前述した実施形態は本発明の特徴をはっきり説明するためであって、本発明の特許請求の範囲を制限するためではなく、本発明は本発明の精神および範囲内において変更および修正することができる。
【図面の簡単な説明】
【００３０】
【図１】本発明の第１実施形態によるスイッチング電源回路を示す模式図。
【図２】本発明の第１実施形態によるスイッチング電源回路を示す回路図。
【図３】本発明の第１実施形態によるスイッチング電源回路の電圧、電流点を表示する説明図。
【図４】本発明の第１実施形態によるスイッチング電源回路において、図３に対応する動作波形を示す図。
【図５】本発明の第１実施形態によるスイッチング電源回路の動作を示す説明図。
【図６】本発明の第１実施形態によるスイッチング電源回路の動作を示す説明図。
【図７】本発明の第１実施形態によるスイッチング電源回路の動作を示す説明図。
【図８】本発明の第１実施形態によるスイッチング電源回路において、図５、図６および図７に対応する動作波形を示す図。
【図９】本発明の第１実施形態によるスイッチング電源回路において、電流保護回路として作用するときの波形を示す図。
【図１０】本発明の第２実施形態によるスイッチング電源回路を示す回路図。
【図１１】従来のスイッチング電源回路を示す回路図。
【図１２】別の従来のスイッチング電源回路を示す回路図。
【符号の説明】
【００３１】
１：入力回路、１１：スイッチ部品、１２：スタート回路、Ｖｉｎ：入力電圧、Ｑ１：第一トランジスター、Ｑ２：第二トランジスター、ＲＳ：抵抗、Ｔ：変圧器、Ｎ１：第一コイル、Ｎ２：第二コイル、Ｎ３：第三コイル、２：出力回路、Ｖｏｕｔ：出力端電圧、Ｄ１：ダイオード、Ｃ１：コンデンサー、２１：コントロール器、ＣＴＬ１：第一コントロール端、ＣＴＬ２：第二コントロール端、Ｖｏｕｔ：出力端電圧、ＶＤＤ：電源接点、ＧＮＤ：アース接点、ＦＢ：入力端
【図１】
2008306921.tif 000003
【図２】
2008306921.tif 000004
【図３】
2008306921.tif 000005
【図４】
2008306921.tif 000006
【図５】
2008306921.tif 000007
【図６】
2008306921.tif 000008
【図７】
2008306921.tif 000009
【図８】
2008306921.tif 000010
【図９】
2008306921.tif 000011
【図１０】
2008306921.tif 000012
【図１１】
2008306921.tif 000013
【図１２】
2008306921.tif 000014